(57)【特許請求の範囲】
【請求項１】
筒状部を有する端子と導線を接続するものであって、
凸部を有する雄型と、
前記筒状部に導線が通された端子を前記凸部とともに筒状部の径方向に挟みうる正面視Ｕ字状の凹部を有する雌型と、
前記雄型及び雌型を相対往復移動させるための駆動力を付与する流体圧駆動源と、
弾性材料からなり、前記雌型の外面における前記両型の軸線を中心とする対称位置に前記雄型と干渉することなく跨がり、前記雄型に近づく方向に移動しないように止められたバンドと
を備えることを特徴とする、端子圧着工具。
【請求項２】
前記対称位置の軸方向位置が前記凹部の底と同じである、請求項１に記載の端子圧着工具。
【請求項３】
前記対称位置が前記雌型の正背面の４カ所に設定されている、請求項１又は２に記載の端子圧着工具。
【請求項４】
更に、前記雌型における前記対称位置に固定され、前記雄型から遠ざかる方向に折り返されたフックを備え、その折り返し点に前記バンドが掛けられることにより、前記バンドの前記雄型に近づく方向への移動が止められている、請求項１〜３のいずれかに記載の端子圧着工具。
【請求項５】
前記バンドが輪形状をなす、請求項１〜４のいずれかに記載の端子圧着工具。
【請求項６】
前記バンドの本数が１である、請求項１〜４のいずれかに記載の端子圧着工具。
【請求項７】
前記バンドの本数が２である、請求項１〜４のいずれかに記載の端子圧着工具。
【発明の詳細な説明】
【技術分野】
【０００１】
この発明は、流体圧力を利用して電気配線の導線に端子を圧着するのに適した端子圧着工具に属する。
【背景技術】
【０００２】
一般に、電気配線の導線と端子とは、簡易な固着技術である圧着によって固着される。これは、その固着が配線作業現場で行われるためである。そして、作業者の負担を軽くするために、駆動力として油圧等の流体圧力が用いられる。従来の油圧式端子圧着工具は、シリンダを内蔵する胴体の先端部に固定された雌型と、シリンダ内のラムの先端部に固定された雄型とを備えている。圧着の際は、導線が通された電気配線の端子を雌型と雄型で挟み、油圧力によって雄型を端子に押しつけることにより、端子を塑性変形させていた。
【０００３】
ところで、油圧力を付与する際に、雌雄の型に対して端子が不正な角度をなしていたり不正な位置に置かれていたりすると、圧着作業終了後に端子と導線との電気的接続不良を生じるおそれがある。仮に圧着直後は接続不良を生じていないにしても、長期的な信頼性を欠くことになる。そこで、これを防止するために、雌雄の型の間に端子を正しい角度及び位置で暫定的に固定（仮止め）し、その状態を保ちながら油圧力を付与する技術が種々提案されている。
【０００４】
例えば、油圧ピストンと雄型との間に介在するコイルばねの弾力によって押さえるもの（特許文献１）、油室と連通するゴムチューブを圧着工具の握りに内蔵させ、ゴムチューブの弾力によって押さえるもの（特許文献２）、油圧回路の排出流路に操作弁を設け、操作弁の開き具合により仮止めするもの（特許文献３）などがある。
【先行技術文献】
【特許文献】
【０００５】
【特許文献１】実開平２−８４２９３号公報
【特許文献２】実開平５−９３７６８号公報
【特許文献３】実開平６−６４３８９号公報
【発明の概要】
【発明が解決しようとする課題】
【０００６】
しかし、特許文献１に記載のように油圧ピストンと雄型との間にコイルばね介在させたり、特許文献３に記載のように油圧回路の排出流路に操作弁を設けたりすることは、圧着工具の構造を極めて複雑にし、コスト増を招く。また、特許文献２に記載のようなゴムチューブは、ゴムの経年劣化に伴って油が漏れる前に油を抜いてゴムチューブを交換する必要があり、メンテナンスが困難である。
それ故、この発明の課題は、雌雄の型の間に端子を正しい角度及び位置で暫定的に固定する機能を有する圧着工具であって、低コストでしかもメンテナンスが容易で長期安定的に前記機能を維持することのできるものを提供することにある。
【課題を解決するための手段】
【０００７】
その課題を解決するために、この発明の端子圧着工具は、
筒状部を有する端子と導線を接続するものであって、
凸部を有する雄型と、
前記筒状部に導線が通された端子を前記凸部とともに筒状部の径方向に挟みうる正面視Ｕ字状の凹部を有する雌型と、
前記雄型及び雌型を相対往復移動させるための駆動力を付与する流体圧駆動源と、
弾性材料からなり、前記雌型の外面における前記両型の軸線を中心とする対称位置に前記雄型と干渉することなく跨がり、前記雄型に近づく方向に移動しないように止められたバンドと
を備えることを特徴とする。
【０００８】
この発明の端子圧着工具を使用するときは、先ずバンドのほぼ中央をその弾性復元力に抗して雄型に近づく方向に伸ばし、バンドと雌型の凹部との間に端子を配置する。バンドを伸ばすには通常、バンドを指でつまむか引っかけるかすればよい。この状態で前記バンドの中央を自由にすると、バンドの弾性復元力により端子が雌型の底に弾力的に圧接される。そのため、雌雄の型に対する端子の角度及び位置が正しく保たれた状態で駆動力を付与することができる。バンドは、雌型の外面に備えられているので、経年劣化しても駆動源の圧力媒体と関係なく単独で取り替えることができる。
【０００９】
前記対称位置の好ましい軸方向位置は、前記凹部の底と同じである。前記凹部の底よりも雄型から遠い位置となると、バンドを指でつまんだり引っかけたりしにくくなる。逆に前記凹部の底よりも雄型に近い位置となると、バンドを伸ばすためのストロークが短くなって、端子を圧接するための弾性復元力が不十分となる。
【００１０】
前記対称位置は好ましくは前記雌型の正背面の４カ所に設定されている。これにより、雌型の正面側と背面側との両方の対称位置間に１本ずつバンドを跨がせることができるし、１本のバンドを両方の対称位置間に跨がせることもできる。いずれにしても端子の筒状部を雌型の正面側と背面側とから均等に圧接させることができ、端子の角度及び位置が一層安定する。
【００１１】
前記バンドの前記雄型に近づく方向への移動を止めるための好ましい手段は、前記雌型における前記対称位置に固定され、前記雄型から遠ざかる方向に折り返されたフックである。その折り返し点に前記バンドを掛けるだけで、バンドの前記移動が止められるからである。フックの他、雌型自体に段差、突起等を設けて、そこにバンドを掛けてもよいし、既製の構造に段差や突起がある場合は、それを利用してもよい。
【００１２】
前記バンドは、好ましくは輪形状をなす。輪形状であれば、前記フックや段差、突起等にそのまま掛けることができるし、それらが設けられていなくても雌型の輪郭によっては雌型の両側面に跨がるように掛けることができるからである。
【００１３】
前記バンドの本数は、１でもよいし、２でもよい。バンドが輪形状であれば、１本で十分であるが、２本であれば正面と背面とで１本ずつ用いることができる。
【発明の効果】
【００１４】
以上のように、この発明の端子圧着工具によれば、雌雄の型に対する端子の角度及び位置が正しく保たれた状態で駆動力を付与することができるので、圧着された電線と端子とが電気的にも機械的にも高い信頼性をもって接続されたものとなる。しかもバンドが経年劣化してもバンドだけを取り替えれば済むので、メンテナンスコストが低い。
【図面の簡単な説明】
【００１５】
【図１】第一の実施形態の端子圧着工具を示す正面図である。
【図２】前記正面図と直交する軸方向断面図である。
【図３】第一の実施形態の端子圧着工具を用いて端子を仮止めした状態を示す正面図である。
【図４】前記正面図と直交する軸方向断面図である。
【図５】第二の実施形態の端子圧着工具を示す正面図である。
【図６】前記正面図と直交する軸方向断面図である。
【図７】第三の実施形態の端子圧着工具を示す正面図である。
【発明を実施するための形態】
【００１６】
−実施形態１−
端子圧着工具１は、丸形、Ｙ形などの舌部及びそれに連なる筒状部を有する圧着端子Ｗと電線を圧着する、すなわち同筒状部に電線の端部を挿入した状態で同筒状部を径方向にカシメることにより、端子Ｗと電線とを機械的圧力で固着するものである。端子圧着工具１は、図１及び図２に示すように正面視対称形状をなし対向配置された雌型２及び雄型３の他、ゴム製バンド４、図示しない駆動源及び胴体を備える。端子Ｗは、筒状部の中心軸線が図１においては図面に対して垂直方向、図２においては左右方向に延びるように置かれている。
【００１７】
前記駆動源及び胴体の構造は、特に限定されず、公知の油圧工具に適用されているものであってよく、例えば特許第３０８０３６０号公報に記載の胴体４及び駆動源であってよい。ただし、同公報に記載の長溝９２、９３及びクロス溝９４、９５は本実施形態には不要である。
【００１８】
念のため本実施形態の端子圧着工具１の胴体及び駆動源について概説すると、胴体には、その軸に対して角度をもつように小ハンドル及び大ハンドルが付属している。そして、小ハンドルにオイルタンク、大ハンドルにバッテリーが内蔵されている。胴体の中心部には、バッテリーに接続した電動機とオイルタンクに連なるプランジャーポンプが内蔵されている。この電動機とプランジャーポンプが駆動源である。
【００１９】
胴体は、ほぼ中心部分がシリンダ５をなし、そのシリンダ５に前記プランジャーポンプによって作動するラム６が内蔵されている。シリンダの先端には、両側から各々雌型２に向かって延びる２つのブラケット７が一体的に形成されており、各ブラケット７は正面から背面に貫通した孔を有する。
【００２０】
シリンダ５内におけるラム６の周囲にはラム６を後方に付勢するスプリング８が配備されている。スプリング８は、常時はラム６を最も後退した位置に保持している。そして、油圧力の付与に伴ってラム６がスプリング８の弾力に抗して前進し、油圧が解除されたとき、スプリング８の弾力によってラム６が元の位置に後退する。
【００２１】
雌型２は雄型３と対向する側に開いた正面視ほぼＵ字形をなし、Ｕ字の下半部内側が端子Ｗの外周面に倣う半円筒状の凹部２１となっている。凹部２１の奥行きは端子Ｗの筒状部の長さよりも小さい。また、Ｕ字の両端部はそれぞれ正背面両方向に分かれてブラケット９が一体的に形成されており、各ブラケット９は正面から背面に貫通した孔を有する。
【００２２】
そして、ブラケット７をブラケット９の内側に入れて、双方の貫通孔を一致させ、そこにボルト７ａを通し、ボルト７ａにナット７ｂを嵌合することにより、雌型２がブラケット７に着脱自在に取り付けられている。前記Ｕ字の凹部２１の幅は端子Ｗの筒状部が緩く嵌まる程度で、深さは同筒状部が１／４〜１／３程度径方向に凹部２１から出るように設計されている。雌型２は、この実施形態では全体が前記の通りＵ字形をなしているが、端子圧着機能をもたせるためには少なくとも凹部２１がＵ字形であればよい。
【００２３】
雌型２の正面及び背面における凹部２１の底の両側対称位置合計４カ所には、雄型３から遠ざかる方向に折り返されたフック１０が粘着テープを介して取り付けられている。フック１０は、工具１専用に設計されたものが望ましいが、市販の配線クランプ、ケーブルクリップ、ワイヤーステッカーなどでもよい。フック１０の取り付けは粘着テープに代えて接着剤やネジ止めでもよい。
【００２４】
雄型３は、両側のブラケット７の間隔方向を長辺とする平面視長方形の基部３１、及び基部３１の前方すなわち雌型２側の面に連なる四角錐台状の凸部３２からなる。凸部３２の高さは凹部２１の深さよりも小さく、凸部３２の最大幅は凹部２１の最大幅よりも小さく、凸部３２の奥行きは凹部２１の奥行きよりも小さい。基部３１における雌型２側の面における長寸方向両端付近は、凸部３２の麓よりも僅かに高くなっており、雌型２に対するストッパ３３として機能する。
【００２５】
基部３１の底面中央には円柱状の凹部が設けられ、そこにラム６の連結部６１が嵌入され固定されている。従って、雄型３は、ラム６と連動し、図１の想像線で示すように２つのブラケット７、７間を雌型２に向かって前進しうる。そして、ストッパ３３が凹部２１の両端に当たって停止する。
【００２６】
なお、雄型３とラム６とは、本例と逆に雄型３の後端面に凸部を設け、これにラム６の先端凹部を嵌合することによって連結しても良い。
バンド４は、１本の輪状をなし、雌型２の外周面に嵌められてフック９の折り返し点に掛けられている。
【００２７】
端子圧着工具１を使用するときは、先ずバンド４における正面の２つのフック１０間部分と背面の２つのフック１０間部分とが雄型３に近づく方向に外力を付勢する。外力としては作業者の指の力であってよい。バンド４は、フック１０に掛けられて雄型３に近づく方向の移動が止められているので、前記２つのフック１０間部分のバンド４は弾性復元力に抗して延ばされ、正面側及び背面側いずれも凹部２１と天地逆のＵ字形状をなした状態となる。この状態でバンド４のＵ字形部分と凹部２１との間に端子Ｗを配置し、前記外力を解除する。
【００２８】
前記のようにバンド４が弾性復元力に抗して延ばされた状態にあったことから、前記外力の解除に伴い、バンド４が端子Ｗの筒状部うち凹部２１からはみ出た部分に掛かり、図３及び図４に示すように、バンド４の弾性復元力により端子Ｗが凹部２１の底に弾力的に圧接される。そのため、雌雄の型２、３に対する端子Ｗの角度及び位置が正しく保たれた状態で端子Ｗが暫定的に固定される。次いで、端子Ｗの筒状部に電線の端部すなわち絶縁被覆が剥がされた導線部分を挿入する。
【００２９】
この状態でプランジャーポンプを作動させると、雄型３の進行に伴い、凸部３２先端が端子Ｗに当たり、雄型３が進行するに連れて端子Ｗが塑性変形させられ、電線と圧着させられる。雄型３は、ストッパ３３が凹部２１の端面と当たった時点で停止するので、端子Ｗが過剰に変形することはない。バンド４は、雄型３に向かって延ばされているが、凹部２１の奥行きは端子Ｗの筒状部の長さよりも小さい一方、凸部３２の奥行きは凹部２１の奥行きよりも更に小さいことから、バンド４と凸部３２とが干渉し合うことはない。
【００３０】
本実施形態では、雌型２にブラケット９と凹部２１が形成されているが、ブラケットを有するヘッドと凹部を有する雌型とが別体であってもよい。また、雄型に対して雌型が移動するものであってもよい。バンド４は、ゴム製に限らず、金属製であっても伸縮性を有して弾性復元力を生じるものであればよい。
【００３１】
−実施形態２−
この実施形態では、実施形態１の端子圧着工具１におけるバンド４に代えて、図５及び図６に示すように２本のバンド１４、１４が雌型２の正面のフック１０と背面のフック１０とに１本ずつ掛けられている。その他の構成は実施形態１と同じである。
【００３２】
−実施形態３−
この実施形態では、実施形態１の端子圧着工具１と異なり、フック１０が取り付けられておらず、バンド４が雌型２の外周面に掛けられているだけである。雌型２の外周面の形状や表面性状によっては、バンド４の雄型３への移動が止められて、図７に示すように端子Ｗを仮止めすることができる。
【符号の説明】
【００３３】
１…端子圧着工具
２…雌型
３…雄型
３１…基部    ３２…凸部    ３３…ストッパ
４、１４…バンド
５…シリンダ
６…ラム
７…ブラケット
８…スプリング
９…ブラケット
１０…フック
【図１】
0006548510.tif 000002
【図２】
0006548510.tif 000003
【図３】
0006548510.tif 000004
【図４】
0006548510.tif 000005
【図５】
0006548510.tif 000006
【図６】
0006548510.tif 000007
【図７】
0006548510.tif 000008